(57)【要約】【課題】  水素透過性金属層を備える燃料電池内の不均一な温度分布に起因する燃料電池の耐久性低下などの性能低下を防止する。【解決手段】  プロトン伝導性を有する電解質層の面上に配設されると共に水素透過性金属を含有する水素透過性金属層を備える燃料電池において、前記燃料電池に供給される流体の温度および流れ方向を含む前記燃料電池の運転条件により定まる前記燃料電池内の不均一な温度分布に応じて、燃料電池が備える触媒層が担持する触媒量を異ならせ、燃料電池内の温度分布状態を均一化する。【選択図】  図４
2005190684.tif 000002
【特許請求の範囲】
【請求項１】
プロトン伝導性を有する電解質層の面上に配設されると共に水素透過性金属を含有する水素透過性金属層を備える燃料電池であって、
前記燃料電池の運転条件および／または前記燃料電池が配設される環境により定まる前記燃料電池内の不均一な温度分布を均一化する温度分布均一化部を備える
燃料電池。
【請求項２】
請求項１記載の燃料電池であって、
前記燃料電池の運転条件は、該燃料電池に供給される流体の温度および流れ方向である
燃料電池。
【請求項３】
請求項１または２記載の燃料電池であって、
前記温度分布均一化部は、前記燃料電池の運転条件および／または前記燃料電池が配設される環境に起因して、温度が他の領域よりも上昇する昇温領域における発熱を抑える
燃料電池。
【請求項４】
請求項３記載の燃料電池であって、
前記温度分布均一化部は、前記昇温領域における電気化学反応を抑制する
燃料電池。
【請求項５】
請求項４記載の燃料電池であって、
前記温度分布均一化部は、電気化学反応を促進する触媒を含有すると共に、前記燃料電池の電極上に配設されて、前記昇温領域に対応する部分における前記触媒の含有量が、前記他の領域に対応する部分における前記触媒の含有量より少なく形成される触媒層である
燃料電池。
【請求項６】
請求項４記載の燃料電池であって、
前記温度分布均一化部は、電気化学反応が進行する金属薄膜から成ると共に、前記昇温領域に対応する部分における表面積がより小さく形成される電極である
燃料電池。
【請求項７】
請求項６記載の燃料電池であって、
前記電極は、前記水素透過性金属層である
燃料電池。
【請求項８】
請求項４記載の燃料電池であって、
前記温度分布均一化部は、前記昇温領域に対応する部分がより厚く形成されている前記水素透過性金属層である
燃料電池。
【請求項９】
請求項１ないし８いずれか記載の燃料電池であって、
アノードに供給される燃料ガスとして、炭化水素系燃料を改質して得られる改質ガスを用いる
燃料電池。
【請求項１０】
請求項３記載の燃料電池であって、
前記温度分布均一化部は、前記燃料電池の内部においてアノードに連通して設けられ、炭化水素系燃料から水素を生成する改質反応を促進する改質触媒を備える改質触媒部であり、
該改質触媒部は、前記炭化水素系燃料および水蒸気が供給されると共に、前記昇温領域に対応する部分における前記改質触媒の含有量が、前記他の領域に対応する部分における前記改質触媒の含有量より多く形成される
燃料電池。
【請求項１１】
請求項１または２記載の燃料電池であって、
前記温度分布均一化部は、前記燃料電池の内部においてアノードに連通して設けられ、一酸化炭素と水蒸気とから水素と二酸化炭素とを生成するシフト反応を促進するシフト触媒を備えるシフト触媒部であり、
該シフト触媒部は、水素と一酸化炭素と水蒸気とを含有する改質ガスを供給されると共に、前記燃料電池の運転条件および／または前記燃料電池が配設される環境に起因して温度が他の領域よりも低下する領域に対応する部分における前記シフト触媒の含有量が、前記他の領域に対応する部分における前記シフト触媒の含有量より多く形成される
燃料電池。
【請求項１２】
請求項１ないし１１いずれか記載の燃料電池であって、
前記温度分布均一化部は、前記燃料電池の運転条件および／または前記燃料電池が配設される環境に起因して、前記燃料電池を構成する単セルの同一面内において定まる不均一な温度分布に基づいて設けられる
燃料電池。
【請求項１３】
請求項１ないし１１いずれか記載の燃料電池であって、
該燃料電池は、単セルを積層して構成され、
前記温度分布均一化部は、前記燃料電池の運転条件および／または前記燃料電池が配設される環境に起因して、前記燃料電池全体において定まる不均一な温度分布に基づいて設けられる
燃料電池。
【請求項１４】
プロトン伝導性を有する電解質層の面上に配設されると共に水素透過性金属を含有する水素透過性金属層を有する燃料電池を備える燃料電池装置であって、
電気化学反応に供するために前記燃料電池に供給される反応ガスの温度および流れ方向に起因する前記燃料電池内の温度分布の不均一化を抑制する温度分布均一化部を備え、
該温度分布均一化部は、
前記燃料電池に前記反応ガスを給排可能な第１および第２の流路と、
前記第１の流路に設けられ、該第１の流路に接続する流路から前記反応ガスが供給されて該反応ガスが前記燃料電池内に導かれるガス導入状態と、前記第１の流路を外部と連通させて前記燃料電池内を通過した前記反応ガスを外部に導くガス排出状態とを切り替える第１の切り替え部と、
前記第２の流路に設けられ、該第２の流路に接続する流路から前記反応ガスが供給されることによる前記ガス導入状態と、前記第２の流路を外部と連通させることによる前記ガス排出状態とを切り替える第２の切り替え部と、を備え、
前記第１の切り替え部および前記第２の切り替え部を制御することによって、前記燃料電池内を通過する前記反応ガスの流れの向きを変更する
燃料電池装置。
【請求項１５】
プロトン伝導性を有する電解質層の面上に配設されると共に水素透過性金属を含有する水素透過性金属層を有する燃料電池を備える燃料電池装置であって、
電気化学反応に供するために前記燃料電池に供給される反応ガスの温度と流れ方向、および／または前記燃料電池が配設される環境により定まる前記燃料電池内の温度分布の不均一化を抑制する温度分布均一化部を備え、
該温度分布均一化部は、
前記反応ガスが前記燃料電池内を通過した後に前記燃料電池から排出されたガスである反応排ガスの少なくとも一部を、前記反応ガスに混合する反応ガス循環部と、
前記反応排ガスを、前記反応ガスに混合するのに先立って降温させる反応ガス降温部と、を備える
燃料電池装置。
【発明の詳細な説明】
【技術分野】
【０００１】
この発明は、燃料電池に関し、詳しくは、電解質層と共に水素透過性金属層を備える燃料電池に関する。
【背景技術】
【０００２】
従来、様々な種類の燃料電池が提案されている。例えば、特許文献１には、プロトン伝導性を有する電解質層のアノード側に、水素透過性を有するパラジウム系金属膜を配設した燃料電池が開示されている。この特許文献１では、電解質膜のアノード側に水素透過性を有する金属膜を設けることによって、充分に精製されていない改質ガスを、燃料ガスとして直接アノードに供給可能としている。
【０００３】
【特許文献１】特開平５−２９９１０５号公報
【発明の開示】
【発明が解決しようとする課題】
【０００４】
しかしながら、水素透過性金属層を構成する金属材料は、一般的に大きな熱膨張係数を示し、温度によって膨張率が大きく異なる。そのため、水素透過性金属層における温度分布状態が不均一になると、部位によって水素透過性金属層の伸び率が異なることに起因して水素透過性金属層の劣化が引き起こされ、水素透過性金属層の耐久性が不十分となる可能性があった。また、燃料電池内部の温度分布状態がばらつくと、電池性能が低下する可能性があり、充分な電池性能を維持するためには、燃料電池内部の温度分布状態を均一化して、運転温度を全体として所定の温度範囲に保つことが望ましい。
【０００５】
本発明は、上述した従来の課題を解決するためになされたものであり、水素透過性金属層を備える燃料電池内の不均一な温度分布に起因する燃料電池の耐久性低下などの性能低下を防止することを目的とする。
【課題を解決するための手段】
【０００６】
上記目的を達成するために、本発明は、プロトン伝導性を有する電解質層の面上に配設されると共に水素透過性金属を含有する水素透過性金属層を備える燃料電池であって、
前記燃料電池の運転条件および／または前記燃料電池が配設される環境により定まる前記燃料電池内の不均一な温度分布を均一化する温度分布均一化部を備えることを要旨とする。
【０００７】
以上のように構成された本発明の燃料電池によれば、燃料電池の運転条件および／または燃料電池が配置される環境により定まる燃料電池内の不均一な温度分布が均一化されるため、燃料電池内の不均一な温度分布に起因して水素透過性金属層の耐久性が低下したり、電池性能が低下するのを防止することができる。
【０００８】
本発明の燃料電池において、前記温度分布均一化部は、前記燃料電池の運転条件および／または前記燃料電池が配設される環境に起因して、温度が他の領域よりも上昇する昇温領域における発熱を抑えることとしても良い。
【０００９】
このような構成とすれば、温度が他の領域よりも上昇する昇温領域の発熱を抑えることで、燃料電池内の不均一な温度分布を効果的に均一化することができる。
【００１０】
このような燃料電池において、前記温度分布均一化部は、前記昇温領域における電気化学反応を抑制することとしても良い。
【００１１】
燃料電池内部では、電気化学反応に伴い熱が生じるため、電気化学反応を抑制することで発熱を抑え、不均一な温度分布を均一化できる。
【００１２】
本発明の燃料電池において、
前記温度分布均一化部は、電気化学反応を促進する触媒を含有すると共に、前記燃料電池の電極上に配設されて、前記昇温領域に対応する部分における前記触媒の含有量がより少なく形成される触媒層であることとしても良い。
【００１３】
このような構成とすれば、触媒層における触媒の含有量をより少なくした領域における電気化学反応を抑制することができ、燃料電池内での不均一な温度分布を均一化できる。
【００１４】
あるいは、本発明の燃料電池において、
前記温度分布均一化部は、電気化学反応が進行する金属薄膜から成ると共に、前記昇温領域に対応する部分における表面積がより小さく形成される電極であることとしても良い。
【００１５】
このような構成とすれば、電極の表面積をより小さくした領域における電気化学反応を抑制することができ、燃料電池内での不均一な温度分布を均一化できる。
【００１６】
このような燃料電池において、前記電極は、前記水素透過性金属層であることとしてもよい。水素透過性金属層は、電極として機能させることができるため、温度が他の領域よりもより上昇する領域に対応する部分において、表面積がより小さくなるように水素透過性金属層を形成することで、燃料電池内の不均一な温度分布を均一化できる。
【００１７】
また、本発明の燃料電池において、
前記温度分布均一化部は、前記昇温領域に対応する部分がより厚く形成されている前記水素透過性金属層であることとしても良い。
【００１８】
このような構成とすれば、水素透過性金属層をより厚く形成した領域における電気化学反応を抑制することができ、燃料電池内での不均一な温度分布を均一化できる。
【００１９】
本発明の燃料電池において、アノードに供給される燃料ガスとして、炭化水素系燃料を改質して得られる改質ガスを用いることとしても良い。
【００２０】
炭化水素系燃料を改質して得られる改質ガスは、一般に、所定のタンク内に貯蔵する水素ガスに比べて温度が高い。そのため、燃料ガスとして改質ガスを用いる場合には、水素ガスのように温度がより低いガスを用いる場合に比べて、燃料電池の内部の特定の領域で温度が上昇しすぎて温度分布が不均一となりやすい場合がある。したがって、本発明を適用する際に燃料ガスとして改質ガスを用いる場合には、燃料電池内の温度分布状態を均一化して、耐久性低下などの燃料電池の性能低下を防止する効果を、より顕著に得ることができる。
【００２１】
また、本発明の燃料電池において、
前記温度分布均一化部は、前記燃料電池の内部においてアノードに連通して設けられ、炭化水素系燃料から水素を生成する改質反応を促進する改質触媒を備える改質触媒部であり、
該改質触媒部は、前記炭化水素系燃料および水蒸気が供給されると共に、前記昇温領域に対応する部分における前記改質触媒の含有量が、前記他の領域に対応する部分における前記改質触媒の含有量より多く形成されることとしても良い。
【００２２】
このような構成とすれば、改質触媒では吸熱反応である改質反応が進行するため、改質触媒部において改質触媒の含有量がより多い部分では温度上昇がより抑制されることになる。したがって、昇温領域における温度上昇を抑えることができ、燃料電池内での不均一な温度分布を均一化できる。
【００２３】
また、本発明の燃料電池装置において、
前記温度分布均一化部は、前記燃料電池の内部においてアノードに連通して設けられ、一酸化炭素と水蒸気とから水素と二酸化炭素とを生成するシフト反応を促進するシフト触媒を備えるシフト触媒部であり、
該シフト触媒部は、水素と一酸化炭素と水蒸気とを含有する改質ガスを供給されると共に、前記燃料電池の運転条件および／または前記燃料電池が配設される環境に起因して温度が他の領域よりも低下する領域に対応する部分における前記シフト触媒の含有量が、前記他の領域に対応する部分における前記シフト触媒の含有量より多く形成されることとしても良い。
【００２４】
このような構成とすれば、シフト触媒では発熱反応であるシフト反応が進行するため、シフト触媒部においてシフト触媒の含有量がより多い部分では温度上昇がより促進されることになる。したがって、温度が他の領域よりも低下する領域における温度低下を抑えることができ、燃料電池内での不均一な温度分布を均一化できる。
【００２５】
本発明の燃料電池において、
前記温度分布均一化部は、前記燃料電池の運転条件および／または前記燃料電池が配設される環境に起因して、前記燃料電池を構成する単セルの同一面内において定まる不均一な温度分布に基づいて設けられることとしても良い。
【００２６】
このような構成とすれば、単セルの同一面内における不均一な温度分布を、効果的に均一化できる。
【００２７】
また、本発明の燃料電池において、
該燃料電池は、単セルを積層して構成され、
前記温度分布均一化部は、前記燃料電池の運転条件および／または前記燃料電池が配設される環境に起因して、前記燃料電池全体において定まる不均一な温度分布に基づいて設けられることとしても良い。
【００２８】
このような構成とすれば、燃料電池全体における不均一な温度分布を、効果的に均一化することができる。
【００２９】
本発明の第１の燃料電池装置は、プロトン伝導性を有する電解質層の面上に配設されると共に水素透過性金属を含有する水素透過性金属層を有する燃料電池を備える燃料電池装置であって、
電気化学反応に供するために前記燃料電池に供給される反応ガスの温度および流れ方向に起因する前記燃料電池内の温度分布の不均一化を抑制する温度分布均一化部を備え、
該温度分布均一化部は、
前記燃料電池に前記反応ガスを給排可能な第１および第２の流路と、
前記第１の流路に設けられ、該第１の流路に接続する流路から前記反応ガスが供給されて該反応ガスが前記燃料電池内に導かれるガス導入状態と、前記第１の流路を外部と連通させて前記燃料電池内を通過した前記反応ガスを外部に導くガス排出状態とを切り替える第１の切り替え部と、
前記第２の流路に設けられ、該第２の流路に接続する流路から前記反応ガスが供給されることによる前記ガス導入状態と、前記第２の流路を外部と連通させることによる前記ガス排出状態とを切り替える第２の切り替え部と、を備え、
前記第１の切り替え部および前記第２の切り替え部を制御することによって、前記燃料電池内を通過する前記反応ガスの流れの向きを変更することを要旨とする。
【００３０】
以上のように構成された本発明の第１の燃料電池装置によれば、反応ガスが流れる向きを変更することで、温度がより高くなる領域とより低くなる領域とが変化するため、特定の領域の温度が上昇しすぎたり低下しすぎるのが抑えられ、燃料電池内の温度分布状態を均一化することができる。したがって、燃料電池に供給される反応ガスの温度および流れ方向に起因する燃料電池内の温度分布の不均一化が抑制され、燃料電池内の不均一な温度分布に起因して水素透過性金属層の耐久性が低下したり、電池性能が低下するのを防止することができる。
【００３１】
本発明の第２の燃料電池装置は、プロトン伝導性を有する電解質層の面上に配設されると共に水素透過性金属を含有する水素透過性金属層を有する燃料電池を備える燃料電池装置であって、
電気化学反応に供するために前記燃料電池に供給される反応ガスの温度と流れ方向、および／または前記燃料電池が配設される環境により定まる前記燃料電池内の温度分布の不均一化を抑制する温度分布均一化部を備え、
該温度分布均一化部は、
前記反応ガスが前記燃料電池内を通過した後に前記燃料電池から排出されたガスである反応排ガスの少なくとも一部を、前記反応ガスに混合する反応ガス循環部と、
前記反応排ガスを、前記反応ガスに混合するのに先立って降温させる反応ガス降温部と、を備えることを要旨とする。
【００３２】
以上のように構成された本発明の第２の燃料電池装置によれば、燃料電池内に流入する反応ガスの温度を低下させることにより、反応ガスの温度と流れ方向、および／または燃料電池の配設環境に起因して燃料電池内部の特定の領域の温度が上昇し、温度分布状態が不均一化するのを防止することができる。したがって、燃料電池内の不均一な温度分布に起因して水素透過性金属層の耐久性が低下したり、電池性能が低下するのを防止することができる。
【００３３】
本発明は、上記以外の種々の形態で実現可能であり、例えば、本発明の燃料電池または燃料電池装置を備える電源システム、あるいは燃料電池を駆動エネルギ源として搭載する移動体などの形態で実現することが可能である。
【発明を実施するための最良の形態】
【００３４】
次に、本発明の実施の形態を実施例に基づいて以下の順序で説明する。
Ａ．第１実施例の燃料電池の構成：
Ｂ．電気化学反応抑制による温度均一化の構成：
Ｃ．他の温度分布の例：
Ｄ．電気化学反応抑制に関する他の実施例：
Ｅ．温度分布均一化に関する他の実施例：
Ｆ．変形例：
【００３５】
Ａ．第１実施例の燃料電池の構成：
図１は、本発明の第１実施例の燃料電池を構成する単セル２０の構造の概略を表わす断面模式図である。単セル２０は、水素透過性金属層２２と電解質層２１とから成る電解質部２３と、電解質層２１上に形成される触媒層２４と、触媒層２４上に配設されるカソード電極２５と、これらの構造をさらに外側から挟持するガスセパレータ２７，２９とを備えている。ガスセパレータ２７と水素透過性金属層２２との間には、水素を含有する燃料ガスが通過する単セル内燃料ガス流路３０が形成されている。また、ガスセパレータ２９とカソード電極２５との間には、酸素を含有する酸化ガスが通過する単セル内酸化ガス流路３２が形成されている。本発明の燃料電池は、図１に示す単セル２０を複数積層したスタック構造を有している。隣り合う単セル２０間では、隣接するガスセパレータ２７と２９との間に、冷媒が流れる冷媒流路３４が形成される。
【００３６】
水素透過性金属層２２は、水素透過性を有する金属によって形成される層であり、例えば、パラジウム（Ｐｄ）またはＰｄ合金により形成することができる。あるいは、バナジウム（Ｖ）等の５族金属（Ｖの他、ニオブ、タンタル等）または５族金属の合金を基材として、少なくともその一方の面（単セル内燃料ガス流路側の面）にＰｄやＰｄ合金層を形成した多層膜とすることができる。
【００３７】
電解質層２１は、プロトン伝導性を有する固体電解質から成る層である。電解質層２１を構成する固体電解質としては、例えば、ＢａＣｅＯ3、ＳｒＣｅＯ3系のセラミックスプロトン伝導体を用いることができる。この電解質層２１は、水素透過性金属層２２上に、上記固体酸化物を生成させることによって形成することができる。電解質層２１を形成する方法としては、例えば、物理蒸着（ＰＶＤ）、化学蒸着（ＣＶＤ）など種々の手法を用いることができる。このように電解質層２１を、緻密な水素透過性金属層２２上に成膜することにより、電解質層２１の充分な薄膜化が可能となる。電解質層２１を薄型化することにより、電解質層２１の膜抵抗をより低減することができ、従来の固体電解質型燃料電池の運転温度よりも低い温度である約２００〜６００℃程度で燃料電池を運転することが可能となる。
【００３８】
触媒層２４は、カソードで進行する電気化学反応を促進するために設けられており、白金（Ｐｔ）等の貴金属を備える層として形成されている。また、カソード電極２５は、多孔質の発泡金属または金属メッシュの板材、あるいは、カーボンフエルトまたはカーボンペーパ、あるいはセラミックス等、ガス透過性を有する導電性部材によって形成されるガス拡散電極である。本実施例では、触媒層２４は、カソード電極２５の電解質層２１と接する面上に、Ｐｔ等の触媒金属を担持させることによって形成している。この触媒層２４については、後にさらに詳しく説明する。
【００３９】
ガスセパレータ２７，２９は、カーボンや金属などの導電性材料で形成されたガス不透過な部材である。なお、ガスセパレータ２７，２９は、ガスセパレータ２９と接するカソード電極２５と、同種の材料により形成することが望ましい。ガスセパレータ２７，２９の表面には、単セル内あるいは単セル間に供給される流体の流路を形成するための所定の凹凸形状が形成されている。
【００４０】
燃料電池に供給される燃料ガスとしては、炭化水素系燃料を改質して得られる水素リッチガスを用いても良いし、純度の高い水素ガスを用いても良い。燃料電池に供給される酸化ガスとしては、例えば空気を用いることができる。また、燃料電池に供給される冷媒としては、水などの液体を用いても良いし、空気などの気体を用いることも可能である。本実施例では、燃料ガスとしては約４００℃の改質ガスを用い、酸化ガスおよび冷媒としては約２５℃の空気を用いている。また、図１に示すように、本実施例の燃料電池では、すべての単セル間に冷媒流路３４を設けているが、単セルを所定数積層する毎に冷媒流路３４を設けても良い。
【００４１】
Ｂ．電気化学反応抑制による温度均一化の構成：
燃料電池が発電する際には電気化学反応に伴って熱が生じるため、既述したように燃料電池内部に冷媒を流通させることによって生じた熱を取り除き、燃料電池の内部温度が上昇しすぎるのを防止している。燃料電池においては、上記冷媒の他、酸化ガスや燃料ガスの流れも、内部の温度分布状態を不均一にする要因となり得る。本実施例の燃料電池では、このような流体の流れに起因する燃料電池内の不均一な温度分布を均一化する温度分布均一化部として、触媒層２４を設けている。
【００４２】
触媒層２４の構成の説明に先立って、燃料電池内での流体の流れと内部温度の分布について説明する。本実施例では、ガスセパレータ２７，２９がそれぞれの面上に備える凹凸形状は、燃料ガスと酸化ガスと冷媒とのそれぞれを、全体として一定の方向に導く流路を形成する。このような流路は、図１に示すように、例えば互いに平行な複数の溝状流路とすることができるが、流路の形状は、互いに平行な複数の溝状流路に限るものではない。図２は、本実施例の燃料電池における流体の流れの様子を、一つの単セル２０について模式的に表わした説明図である。図２に示すように、電解質部２３（図２では「２３＋２４＋２５」と記載）とガスセパレータ２７との間に形成される単セル内燃料ガス流路を流れる燃料ガスと、カソード電極２５（図２では「２３＋２４＋２５」と記載）とガスセパレータ２９との間に形成される単セル内酸化ガス流路を流れる酸化ガスとは、並行に流れる。また、単セル間に設けられる冷媒流路（図２ではガスセパレータ２７の上部およびガスセパレータ２９の下部に形成される）を流れる冷媒は、上記燃料ガスおよび酸化ガスと対向する向きに流れる。
【００４３】
図３は、図２のように燃料ガス、酸化ガスおよび冷媒を流したときに、本実施例のように特別に温度分布均一化部を設けない場合に、燃料電池を構成する一つの単セル面において生じる温度分布の様子を表わす説明図である。図３では、横軸において、単セル面における位置を、単セル２０内を流れる流体に対応させて一次元的に表わしており、単セル面における各位置での温度を、縦軸方向に表わしている。また、図中、各流体の流れの向きを矢印で示している。図３に示すように、単セル内の温度は、燃料ガスおよび酸化ガスの入り口部近傍と、この入り口部に対向して位置する冷媒の入り口部付近ほど低く、上記両端の入り口部から離れた中央部に向かうほど高くなる。なお、このような燃料電池内での温度分布の様子は、実験的に測定することが可能であり、また、用いる流体の種類や流速、流体温度、流れ方向、燃料電池を構成する部材の材質などの条件を入力して、シミュレーションによりさらに詳しく予測することも可能である。
【００４４】
本実施例の燃料電池が備える触媒層２４は、既述したように、カソード電極２５の電解質層２１と接する面上に、Ｐｔ等の触媒金属を担持させることによって形成しているが、触媒担持量（触媒含有量）は、カソード電極２５上の位置によって異なっている。図４（Ａ）は、触媒層２４における触媒担持量を触媒層面全体にわたって表わした説明図である。また、図４（Ｂ）は、本実施例の燃料電池において、図３と同様に流体を流したときの内部の温度分布状態を模式的に表わす。図４では、単セル面における位置を、図３と同様に単セル２０内を流れる流体に対応させて一次元的に横軸に表わしている。図４（Ａ）に示すように、触媒層２４では、図３に示した温度分布状態において、高温になる場所ほど触媒担持量が少なく、低温になる場所ほど触媒担持量が多くなっている。触媒層２４は、例えば触媒金属であるＰｔの微粒子を含有するペーストをカソード電極２５の電解質層２１と接する面上に塗布することによって形成することができる。このようにペーストを塗布する際に、ペーストの塗布量をカソード電極２５の場所によって変えることで、図４（Ａ）に示すように触媒担持量を異ならせることができる。触媒担持量が少ない場所では、触媒担持量が多い場所に比べて電気化学反応の進行が抑えられるため、温度上昇が抑えられ、結果的に、図４（Ｂ）に示すように温度分布状態が均一化される。
【００４５】
以上のように構成された本実施例の燃料電池によれば、燃料電池に供給される流体の温度および流れ方向により定まる燃料電池内の温度分布状態に基づいて、温度が高くなると予測される場所ほど触媒担持量を少なくしているため、燃料電池内における実際の温度分布状態を均一化することができる。したがって、燃料電池内の不均一な温度分布状態に起因して水素透過性金属層２２の耐久性が低下したり、電池性能が低下することを防止できる。
【００４６】
Ｃ．他の温度分布の例：
既述した実施例では、所定の単セル面上において、燃料ガスおよび酸化ガスは同一方向に流れ、冷媒はこれらと対向する向きに流れる例について説明したが、流体の流れ方向はこれに限るものではなく、流体の流れ方向によって、燃料電池内での温度分布状態は変わる。図５および図７は、異なる流体流れ方向を採用したときに予想される単セル上での温度分布状態の一例を表わす説明図である。
【００４７】
図５は、燃料ガスと冷媒とは同一方向に流し、酸化ガスはこれらと対向する向きに流したときに、本実施例のように特別に温度分布均一化部を設けない場合に、燃料電池を構成する一つの単セル面において生じる温度分布の様子を表わす説明図である。なお、図５および後述する図７では、図３と同様に、横軸において、単セル面における位置を、単セル２０内を流れる流体に対応させて一次元的に表わしており、単セル面における各位置での温度を、縦軸方向に表わしている。また、図中、各流体の流れの向きを矢印で示している。図５の燃料電池では、燃料ガスおよび冷媒の入り口部近傍ほど温度が低く、燃料ガスおよび冷媒の入り口部近傍から下流に向かって次第に温度が上昇し、燃料ガスおよび冷媒の入り口部に対向する酸化ガスの入り口部近傍で再び温度が低下する。上記のように流体を流す燃料電池において、温度分布均一化部として、触媒担持量が領域によって異なる触媒層を設けたときのカソード触媒量を、図４（Ａ）と同様に図６に示す。
【００４８】
図７は、酸化ガスおよび冷媒を、燃料ガスと対向する向きに流したときに、本実施例のように特別に温度分布均一化部を設けない場合に、燃料電池を構成する一つの単セル面において生じる温度分布の様子を表わす説明図である。図７の燃料電池では、燃料ガスの流入部近傍で最も温度が高く、燃料ガスの流入部に対向する酸化ガスおよび冷媒の入り口部近傍に向かって次第に温度が低下する。上記のように流体を流す燃料電池において、温度分布均一化部として、触媒担持量が領域によって異なる触媒層を設けたときのカソード触媒量を、図４（Ａ）と同様に図８に示す。
【００４９】
いずれの場合にも、高温になる領域ほど触媒担持量が少なく、低温になる領域ほど触媒担持量が多くなっている。これによって、高温になる領域では電気化学反応の進行が抑えられ、結果的に燃料電池内での温度分布状態が均一化される。
【００５０】
また、図９は、燃料ガスおよび酸化ガスは同一方向に流し、冷媒をこれらと直交する向きに流したときに、本実施例のように特別に温度分布均一化部を設けない場合に、燃料電池を構成する一つの単セル面において生じる温度分布の様子を表わす説明図である。図９では、その底面が一つの単セル面を表わし、単セル面における温度を単セル面上の対応する位置における高さで表わしている。また、図中、各流体の流れの向きを矢印で示している。図９の場合には、燃料ガスおよび酸化ガスの流れ方向については、これらのガスは燃料電池の内部温度よりも低温であるため、セル面の中程よりも下流側の温度がより高くなる。また、冷媒の流れ方向については、冷媒の流入部近傍において最も温度は低くなる。このような燃料電池においても、高温になる領域における発熱が抑えられるように、同様の温度分布均一化部を設ければよい。いずれの場合にも、既述した実施例の構成を適用して、燃料電池内の温度分布においてより高温になると予測される領域ほど、電気化学反応がより抑制されるように、温度分布均一化部を設けることで、燃料電池の内部温度を均一化する同様の効果を得ることができる。
【００５１】
一般に、温度の低い流体の流入部付近は温度がより低くなるため、低温の流体、例えば冷媒および／または酸化ガスの流入部から離れるに従い温度が上昇し、全体として燃料電池内の温度分布状態が不均一となる。そのため、上記低温流体の流入部から離れた領域ほど発熱が抑えられるように、温度均一化部を設ければよい。また、改質器から排出された改質ガスは、所定のタンク内に貯蔵した水素ガスに比べて温度が高いため、燃料ガスとして改質ガスを用いる場合には、燃料電池の内部の特定の領域で温度が上昇しすぎて温度分布がより不均一となりやすい場合がある。そのため、燃料ガスとして改質ガスを用いる場合には、本発明を適用して上記特定の領域における温度上昇を抑制することで、燃料電池内の温度分布状態を均一化することによる効果をより顕著に得ることが可能となる。
【００５２】
また、複数の冷媒を用いて燃料電池内に複数の冷却系統を設けることとしても良く、この場合にも、各流体温度や各流体における熱交換の効率によって、燃料電池内部温度のばらつき状態は変化する。その他、燃料ガス、酸化ガスおよび冷媒を一方向に流す構成に代えて、流れの向きが途中で変更されるように流路を形成するなど、異なる構成としても良い。流体の流れ条件を設定すれば、内部温度の分布状態を予め予測し、あるいは実験的に調べることができ、その結果に基づいて温度分布均一化部を設ければよい。
【００５３】
図３および図１０〜図１２に基づいて、単セル面における温度分布状態のばらつきについて説明したが、単セルを複数積層したスタック構造を有する燃料電池では、単セルの積層方向を含めたスタック構造全体の温度分布状態を考慮して、温度分布均一化部を設けることが望ましい。
【００５４】
例えば、燃料電池内の温度分布状態が、供給される流体の影響のみを受けると仮定したときに、各単セルにおいて図２のように各流体が流れるならば、スタック構造を構成するすべての単セルにおいて、第１ないし第４実施例と同様に温度分布均一化部を設ければよい。また、スタック構造は、外周部ほど放熱により低温になるという一般的な性質を有している。したがって、より充分な効果を得るには、ガス流れに基づく温度分布状態と、放熱に基づく温度分布状態とを組み合わせるなど、考えられる条件による影響を組み合わせて得られるスタック構造全体の温度分布状態に基づいて、スタック構造全体で温度分布均一化の効果が得られるように、温度分布均一化部を設けることが望ましい。さらに、燃料電池の内部温度は、燃料電池が設置された環境の影響を受ける。例えば燃料電池の近傍に所定の高温装置を配置する場合には、この高温装置に近い側ほど燃料電池の内部温度は高くなる。このように、燃料電池内部の温度分布状態に影響する種々の要因を併せて考慮して温度分布均一化部を設けることで、効果を高めることができる。なお、このようにスタック構造全体の温度分布状態に基づいて温度分布均一化部を設ける場合には、温度分布均一化部は、単セル内の同一面内ではなく、スタック構造全体として設けることとしても良い。例えば、第１実施例のようにカソード触媒量を異ならせることで温度分布状態の均一化を図る場合には、スタック構造の一部では、所定の単セルはカソード触媒量が一様に少ないカソード電極を備え、他の単セルはカソード触媒量が一様に多いカソード電極を備えることとしても良い。
【００５５】
Ｄ．電気化学反応抑制に関する他の実施例：
Ｄ−１．第２実施例：
図１０は、第２実施例の燃料電池の構成の概略を説明する断面模式図である。図１０では、第２実施例の燃料電池に関わる構成のうち、電解質部２３およびカソード電極１２５についてのみ表わしている。第２実施例の燃料電池は、第１実施例と同様の燃料電池において、触媒層２４およびカソード電極２５に代えて、カソード電極１２５を備えている。カソード電極１２５は、触媒活性を有する貴金属から成る金属薄膜である。カソード電極１２５は、例えば、ＰｔやＰｔ合金、あるいはＰｄやＰｄ合金など、電気化学反応の触媒として働く貴金属により形成すればよい。水素透過性を有しないＰｔ等の金属によってカソード電極１２５を形成する場合には、カソード電極１２５におけるガス透過性を確保できるように、カソード電極１２５を充分に薄く形成すればよい。このようなカソード電極１２５は、例えば、水素透過性金属層２２上に成膜された電解質層２１上にメッキ処理を施すことにより形成することができる。あるいは、ＰＶＤやＣＶＤにより形成することとしても良い。なお、第２実施例および後述する第３、第４実施例の燃料電池では、第１実施例の燃料電池と同様の方向に、燃料ガス、酸化ガスおよび冷媒が流される場合について説明する。
【００５６】
図１０に示すように、カソード電極１２５は、その表面に所定の凹凸形状が設けられており、この凹凸形状を異ならせることによって、電極表面積が同一面内で変化するように形成されている。このような凹凸形状は、例えば、アルゴンイオンエッチングやショットブラスト等で、カソード電極１２５を形成するための金属層表面を処理することにより、形成することができる。本実施例では、これらの方法により上記凹凸形状を形成する際に、カソード電極１２５の場所によって凹凸形状を異ならせることによって、カソード電極１２５における単位面積当たりの実際の表面積を、同一面内で異ならせている。
【００５７】
図１１は、カソード電極１２５における表面積の分布の様子を、図４と同様に流体の流れ方向に対応させて表わす説明図である。カソード電極１２５では、図３に示した温度分布状態において、高温になる場所ほどカソード面積が小さく、低温になる場所ほどカソード面積が大きくなっている。カソード面積が小さい領域では、カソード面積が大きい領域に比べて電気化学反応の進行が抑えられるため、温度上昇も抑えられる。したがって、第１実施例と同様に、燃料電池内部の温度分布状態を均一化することができる。
【００５８】
Ｄ−２．第３実施例：
図１２は、第３実施例の燃料電池の構成の概略を説明する断面模式図である。第３実施例の燃料電池は、第１実施例と同様の燃料電池において、水素透過性金属層２２に代えて、水素透過性金属層２２２を備えている。図１２では、図１０と同様に、ガスセパレータ２７，２９については記載を省略している。
【００５９】
水素透過性金属層２２２は、水素透過性金属層２２と同様の水素透過性金属によって形成されているが、その表面に所定の凹凸形状が設けられており、この凹凸形状を異ならせることによって、電極表面積が同一面内で変化するように形成されている。このような凹凸形状は、第２実施例のカソード電極１２５と同様に、例えば、アルゴンイオンエッチングやショットブラスト等で、水素透過性金属層２２２の表面を処理することにより、形成することができる。本実施例では、これらの方法により上記凹凸形状を形成する際に、水素透過性金属層２２２の場所によって凹凸形状を異ならせることによって、水素透過性金属層２２２の表面積を、同一面内で異ならせている。このように凹凸形状を異ならせる処理は、水素透過性金属層を形成した後、水素透過性金属層上に電解質層２１を成膜するのに先立って、電解質層２１を設けるのとは反対の面側に対して施すこととしても良いし、水素透過性金属層上に電解質層２１を成膜した後に、電解質層２１を成膜したのとは異なる側の面上に施すこととしても良い。
【００６０】
ここで、図１２に示した水素透過性金属層２２２は、第２実施例のカソード電極１２５と同様に、図３に示した温度分布状態において、高温になる場所ほど表面積が小さく、低温になる場所ほど表面積が大きくなっている。水素透過性金属層２２２は、アノード電極として機能するため、水素透過性金属層２２２の表面積をより大きくすることによって、電気化学反応が進行する電極表面積をより大きくすることができる。そのため、このような構成とすることで、表面積が小さい領域では表面積が大きい領域に比べて電気化学反応の進行が抑えられ、温度上昇も抑えられる。したがって、燃料電池内部の温度分布状態を均一化することができる。
【００６１】
Ｄ−３．第４実施例：
図１３は、第４実施例の燃料電池の構成の概略を説明する断面模式図である。第４実施例の燃料電池は、第１実施例と同様の燃料電池において、水素透過性金属層２２に代えて、水素透過性金属層３２２を備えている。図１３では、図１０と同様に、ガスセパレータ２７，２９については記載を省略している。
【００６２】
水素透過性金属層３２２は、水素透過性金属層２２と同様の水素透過性金属によって形成されているが、その厚みが、同一面内で変化するように形成されている。すなわち、水素透過性金属層３２２は、図３に示した温度分布状態において、高温になる場所ほど厚く、低温になる場所ほど薄く形成されている。水素透過性金属層が厚いほど、水素透過性金属層における水素の透過量が抑えられるため、このような構成とすることで、水素透過性金属層が厚い領域では薄い領域に比べて電気化学反応の進行が抑えられ、温度上昇も抑えられる。したがって、燃料電池内部の温度分布状態を均一化することができる。
【００６３】
水素透過性金属層３２２は、水素透過性金属層２２と同様に、ＰｄやＰｄ合金で形成する他、５族金属を含有する基材上の少なくともガス流路側表面にＰｄを含有する層を設ける構成とすることができる。少なくとも燃料ガス流路側の表面にＰｄを含有する層を設けることで、水素透過性金属層３２２を水素が透過する際に水素分子を解離させる活性を確保することができる。基材層上にＰｄ含有層を設ける場合には、基材層とＰｄ含有層とのうちの少なくとも一方の厚みを変化させることによって、結果的に図１３に示すように水素透過性金属層３２２全体の厚みを変化させればよい。
【００６４】
なお、既述した第１ないし第４実施例では、図３に示した温度分布状態において高温になる場所と低温になる場所との間で、触媒担持量、カソード面積、アノード面積あるいは水素透過性金属層厚さを、徐々に変化させることとしたが、段階的に変化させることとしても良い。例えば、電極や水素透過性金属層を、上記高温になる場所から低温になる場所へと複数の領域に分割し、この領域毎に、触媒担持量、カソード面積、アノード面積あるいは水素透過性金属層厚さが段階的に変化する構成としても良い。また、触媒担持量、カソード面積、アノード面積あるいは水素透過性金属層厚さを変化させる構成を、複数組み合わせて、燃料電池内部の温度分布状態の均一化を図ることとしても良い。
【００６５】
Ｄ−４．発電に伴う発熱量を変えるその他の例：
燃料電池の内部温度を均一化するための温度分布均一化部として、既述した第１実施例は、触媒担持量が領域によって異なる触媒層を備え、第２実施例は、カソード面積が領域によって異なるカソード電極を備え、第３実施例は、アノード面積が領域によって異なる水素透過性金属層を備え、第４実施例は、厚みが領域によって異なる水素透過性金属層を備えている。燃料電池の内部温度を均一化する同様の効果は、電気化学反応の抑制を伴うさらに他の構成によっても実現可能である。例えば、水素透過性金属層の厚みを変化させない場合であっても、水素透過性金属層の内部構成を変化させることで、同様の効果を得ることが可能である。以下に、水素透過性金属層における内部構成（組成および／または水素透過性金属の配置状態）を領域によって変化させることで、より高温になると予想される領域における水素透過量を抑制し、発電に伴う発熱を抑制して、燃料電池内の温度分布状態を均一化する構成について説明する。
【００６６】
図１４は、水素透過性金属層における内部構成を領域によって変化させた構成の一例を示す断面模式図である。図１４に示す燃料電池は、第１実施例と同様の燃料電池において、水素透過性金属層２２に代えて水素透過性金属層４２２を備えている。なお、図１４および後述する図１５ないし図１７では、主として水素透過性金属層の構成について模式的に示している。水素透過性金属層４２２は、５族金属を含有する基材と、基材上に設けられたＰｄ含有層とを備えており、高温になると予想される領域ほど、Ｐｄ含有層が厚く形成されると共に５族金属層が薄く形成されている。Ｐｄは、５族金属に比べて水素透過性能が低いため、このような構成とすることにより、Ｐｄ含有層が厚い領域では薄い領域に比べて電気化学反応の進行が抑えられ、燃料電池内部の温度分布状態を均一化することができる。なお、図１４に示すようにＰｄ層と５族金属層との厚みを徐々に変化させるのではなく、水素透過性金属層を同一面内で複数の領域に分割して、分割した各領域毎に、段階的に厚みを変化させることとしても良い。また、Ｐｄ含有層は、５族金属を含有する基材の両面に設けることとしても良い。
【００６７】
図１５は、水素透過性金属層における内部構成を領域によって変化させた他の例を示す断面模式図である。図１５に示す燃料電池は、第１実施例と同様の燃料電池において、水素透過性金属層２２に代えて水素透過性金属層５２２を備えている。水素透過性金属層５２２は、高温になると予想される特定の領域はＰｄ含有層によって形成されており、他の領域は、５族金属を含有する基材と、基材上に設けられたＰｄ含有層とによって形成されている。Ｐｄは、５族金属に比べて水素透過性能が低いため、このような構成とすることにより、Ｐｄ含有層のみから成る領域では他の領域に比べて電気化学反応の進行が抑えられ、燃料電池内部の温度分布状態を均一化することができる。
【００６８】
あるいは、より高温になると予想される所定の領域では、水素透過性金属層が備える水素透過性金属割合を、より低温になると予測される領域で水素透過性金属層が備える水素透過性金属割合よりも低くすることとしても良い。図１６は、第１実施例と同様の燃料電池において、水素透過性金属層２２に代えて水素透過性金属層６２２を備える燃料電池の構成を示す。ここでは、水素透過性金属層６２２全体が、５族金属を含有する基材と、基材上に設けられたＰｄ含有層とを備えており、高温になると予測される領域の基材は５族金属合金によって形成され、それ以外の領域はより純度の高い５族金属によって形成されている。また、図１７は、第１実施例と同様の燃料電池において、水素透過性金属層２２に代えて水素透過性金属層７２２を備える燃料電池の構成を示す。ここでは、水素透過性金属層７２２全体がＰｄ含有層によって形成されており、高温になると予測される領域は純度の高いＰｄによって形成され、それ以外の領域はＰｄ合金によって形成されている。このような構成とすれば、水素透過性金属割合が低い領域では他の領域に比べて電気化学反応の進行が抑えられ、燃料電池内部の温度分布状態を均一化することができる。いずれの場合にも、燃料電池内の温度分布においてより高温になると予想される領域では、相対的に水素透過量を抑え電気化学反応の進行を抑制することで、同様の効果を得ることができる。
【００６９】
第２ないし第４実施例および既述したその他の例の内のいずれの構成も、図５、図７および図９に示したように流体の流れを種々に変更する場合にも適用可能である。流体の流れ方向が異なる場合にも、流体の流れに応じて生じる温度分布状態に基づいて、温度分布均一化部として、触媒担持量を異ならせた電極や表面積を異ならせた電極、あるいは水素透過性金属層の厚さを異ならせた電解質部等を設ければよい。これにより、高温になる領域で電気化学反応を抑え、温度分布状態を均一化する同様の効果を得ることができる。また、流体の流れ方向以外の温度分布ばらつき要因を考慮して、スタック構造全体で温度分布状態が均一化するように、各単セル毎にスタック構造内での位置に応じて、高温になる領域では電気化学反応を抑えるように、温度分布均一化部を設けることとしても良い。
【００７０】
Ｅ．温度分布均一化に関する他の実施例：
Ｅ−１．第５実施例：
既述した実施例が備える温度分布均一化部は、高温部における電気化学反応を抑制することで温度分布状態の均一化を図ったが、異なる種類の温度分布均一化部を設けることとしても良い。図１８は、第５実施例の燃料電池装置の構成を表わす説明図である。
【００７１】
第５実施例の燃料電池装置は、第１実施例と同様に、図１に示した単セル２０と類似する構造の単セルを複数積層したスタック構造を有する燃料電池４０を備えており、第１実施例と同様の燃料ガス、酸化ガスおよび冷媒が供給される。ここで、第５実施例の燃料電池装置は、触媒量を異ならせた触媒層を温度分布均一化部として備える第１実施例とは異なり、燃料電池に供給する燃料ガスの流れ方向を切り替える温度分布均一化部を備えることを特徴としている。図１８では、燃料ガスの流れ方向に関わる構成のみを示している。
【００７２】
燃料電池４０に対しては、燃料ガス流路４１を介して燃料ガスが供給される。燃料ガス流路４１は、第１分岐路４２および第２分岐路４３に分岐する。第１分岐路４２は、さらに、第１流路４４と第１排気路４６とに分岐する。第１分岐路４２が第１流路４４および第１排気路４６に分岐する分岐部には、これら３つの流路の連通状態を調節する切り替え弁４８が設けられている。第１流路４４は、燃料電池４０に接続しており、燃料電池４０内の単セル内燃料ガス流路に連通している。第２分岐路４３は、さらに、第２流路４５と第２排気路４７とに分岐する。第２分岐路４３が第２流路４５および第２排気路４７に分岐する分岐部には、これら３つの流路の連通状態を調節する切り替え弁４９が設けられている。第２流路４５は、燃料電池４０に接続しており、燃料電池４０内の単セル内燃料ガス流路に連通している。
【００７３】
本実施例の燃料電池装置では、切り替え弁４８，４９を制御することによって、燃料電池４０内部での燃料ガスの流れ方向を、第１の方向と、これとは逆向きの第２の方向との間で切り替え可能となっている。燃料ガスの流れ方向として第１の方向が選択されるときには、燃料ガスは、第１分岐路４２および第１流路４４を介して燃料電池４０内に流入して、第２流路４５および第２排気路４７を介して外部に排出される。また、燃料ガスの流れ方向として第２の方向が選択されるときには、燃料ガスは、第２分岐路４３および第２流路４５を介して燃料電池４０内に流入して、第１流路４４および第１排気路４６を介して外部に排出される。
【００７４】
第５実施例の燃料電池４０の単セル面において、例えば、酸化ガスと冷媒との流れが対向しており、燃料ガスがこれら酸化ガス及び冷媒と平行に流される場合には、燃料ガスの流れが第１の方向である状態は図３に対応し、燃料ガスの流れ方向が第２の方向である状態は図５に対応する（ただし、図３と図５とでは、流れの切り替えを行なわない酸化ガス及び冷媒の流れの向きが互いに逆向きに表わされている）。したがって、切り替え弁４８，４９を制御して、燃料ガスの流れ方向を切り替えることで、単セル面での温度分布は、図３の状態と図５の状態とが切り替わる。図３の状態と図５の状態とでは、温度が高くなる領域と低くなる領域とは異なっているため、このように燃料ガスの流れ方向を切り替えることで、特定の領域で温度が上昇しすぎたり低下しすぎることが抑えられ、温度分布状態を均一化することができる。
【００７５】
なお、切り替え弁４８，４９を制御することによる燃料ガスの流れ方向の切り替えは、例えば、所定の時間間隔で行なうこととすればよい。あるいは、燃料電池４０の所定部位の温度あるいはアノードオフガス温度を検出して、上限となる基準温度以上となったとき、あるいは下限となる基準温度以下となったときに切り替えを行なうこととしても良い。
【００７６】
上記第５実施例では、燃料ガスの流れ方向を切り替える温度分布均一化部を設けることとしたが、電気化学反応に供するもう一方の反応ガスである酸化ガスの流れ方向を切り替えることとしても良い。例えば、第１実施例と同様の燃料ガス、酸化ガスおよび冷媒が供給される燃料電池において、燃料ガスと冷媒との流れが対向しており、酸化ガスがこれら燃料ガス及び冷媒と平行に流される場合に、酸化ガスの流れ方向を切り替えることとしても良い。このような場合には、酸化ガスの流れ方向が第１の方向である状態が図３に対応するとするならば、酸化ガスの流れ方向が第２の方向である状態は図７に対応することになる。このように酸化ガスの流れ方向を切り替えて、図３の状態と図７の状態とを切り替えることによっても、温度分布状態を均一化する同様の効果を得ることができる。
【００７７】
Ｅ−２．第６実施例：
図１９は、第６実施例の燃料電池装置の構成を表わす説明図である。第６実施例の燃料電池装置は、第５実施例と同様の燃料電池４０を備えており、温度分布均一化部として、酸化ガスの循環に関わる構造を備えている。図１９では、酸化ガスの循環に関わる構成のみを示している。
【００７８】
燃料電池４０に対しては、酸化ガス供給路５１を介して酸化ガスが供給され、燃料電池４０のカソードを経由したカソードオフガスは、燃料電池４０から酸化ガス排出路５２に排出される。酸化ガス供給路５１と酸化ガス排出路５２とを接続するように酸化ガス循環路５３が設けられており、カソードオフガスの少なくとも一部は、酸化ガス循環路５３を経由して、燃料電池４０に供給する酸化ガスに混合可能となっている。酸化ガス循環路５３には、熱交換器５０が設けられており、酸化ガスに混合するカソードオフガスは、混合に先立ってこの熱交換器５０において冷却される。酸化ガス循環路５３と酸化ガス供給路５１との接続部には切り替え弁５４が設けられている。この切り替え弁５４を制御することによって、酸化ガスに供給するカソードオフガス量を調節することができ、カソードオフガス量を調節することで、燃料電池４０に供給する酸化ガスの温度を調節可能になる。
【００７９】
第６実施例の燃料電池装置によれば、酸化ガスの温度を予め低下させてから燃料電池４０に供給することで、燃料電池４０内で温度が上昇しすぎる領域が発生するのを防止することができる。例えば各単セル面において、酸化ガスを、燃料ガス及び冷媒と対向する向きに流し、単セル面での温度分布状態が図５と同様になるべき状態とした場合には、燃料電池に流入する酸化ガス温度を低下させることで、酸化ガス流入部付近の温度を低下させることができる。このように、温度が上昇しすぎる領域の発生を抑えることにより、燃料電池４０内の温度を均一化することができる。また、図５に示したように流体の温度および流れ方向に起因して燃料電池４０の内部温度が不均一化する場合以外であっても、燃料電池４０に供給する酸化ガス温度を低下させることで温度分布状態を均一化する効果を得ることができる。例えば、燃料電池４０が配設される環境によって、酸化ガス流れの上流側が外部から暖められて昇温しやすい場合には、供給する酸化ガス温度を低下させることで、燃料電池４０内部の温度分布状態の均一化を図ることが可能となる。
【００８０】
なお、カソードオフガスの温度を低下させるために設ける熱交換器５０は、種々の冷媒を用いることが可能である。例えば、燃料ガスとして改質ガスを用いる場合に、水蒸気改質反応に供するための水を冷媒として用いるならば、改質反応に供するのに先立って水の加熱を行なうことができる。あるいは、熱交換器を設けてカソードオフガスを冷却する構成に代えて、カソードオフガスを用いて改質器を加熱して、カソードオフガスを降温させることとしても良い。あるいは、ラジエータなどを用いてカソードオフガスからの放熱のみを行なうこととしても良く、カソードオフガスを降温させることができればよい。
【００８１】
上記第６実施例では、酸化ガスを循環させることによって酸化ガスを降温させる温度分布均一化部を設けることとしたが、もう一方の反応ガスである燃料ガスを循環させることによって燃料ガスを降温させることとしても良い。この場合にも、燃料電池に供給する燃料ガスの温度を低下させることで、燃料電池内で温度が上昇しすぎる領域が発生するのを防止し、温度分布状態を均一化する同様の効果を得ることができる。なお、燃料ガスとして、純度の高い水素ガスを用いる場合にも、改質ガスを用いる場合にも、同様に本実施例を適用することができる。
【００８２】
Ｅ−３．第７実施例：
第１ないし第６実施例では、燃料電池のアノードに対して水素を含有する燃料ガスを供給しているが、燃料電池内のアノード側のガス流路内に改質触媒を担持させ、改質反応に供するための炭化水素系燃料と水蒸気とを燃料電池に供給することとしても良い。このような構成を第７実施例として以下に説明する。
【００８３】
燃料電池内のアノード側のガス流路内に改質触媒を担持させるには、単セル内燃料ガス流路を形成するガスセパレータ表面に、改質触媒を担持させればよい。例えば、ガスセパレータを金属薄板により形成する場合には、金属製のガスセパレータの表面をアルミナやコージェライト等でコーティング後に焼成することでガスセパレータ上に多孔質層を形成し、この多孔質層上に改質触媒を担持させればよい。改質触媒の担持は、改質触媒として例えば白金を用いる場合には、上記多孔質層を形成したガスセパレータを白金化合物の溶液中に浸漬させて、イオン交換法や含浸法あるいは蒸発乾固等の周知の方法により行なえばよい。
【００８４】
図２０は、第１実施例と同様に燃料ガス、酸化ガスおよび冷媒を流し、温度分布均一化部を設けなければ単セル面に生じる温度分布が図３と同様になる本実施例の燃料電池において、単セル内燃料ガス流路を形成するセパレータ表面に担持させた改質触媒量を、図４（Ａ）と同様に表わした説明図である。図２０に示すように、図３に示した温度分布状態において高温になる場所ほど改質触媒の担持量が多く、低温になる場所ほど改質触媒の担持量が少なくなっている。
【００８５】
このような構成とすれば、高温になると予想される領域ほど、改質触媒の担持量が多いため、吸熱反応である水蒸気改質反応がより活発に進行し、温度上昇を抑えることができる。したがって、温度分布状態を均一化することができる。
【００８６】
なお、図２０では、単セル面において、温度分布均一化部を設けない場合に予想される温度分布状態に応じて、ガスセパレータ上に担持させる改質触媒量を徐々に変化させることとしたが、段階的に変化させることとしても良い。例えば、改質触媒を担持させる際に、多孔質層を形成したガスセパレータ表面に対して、温度分布状態に応じた所定の領域毎にマスキングを施し、担持される改質触媒量を領域毎に異ならせることとすればよい。
【００８７】
あるいは、単セル内燃料ガス流路を形成するガスセパレータ表面に改質触媒を担持させるのではなく、発電の場となる単セルとは別に改質触媒を担持させた触媒担持層を設けることとしても良い。このような場合には、燃料電池スタックを形成する際に、単セルを所定枚数積層する毎に触媒担持層を積層し、燃料電池内では、触媒担持層において改質反応が進行しつつ、改質反応で生じた水素が各単セルに供給されて電気化学反応に供される構成とすればよい。上記構成とすれば、各触媒担持層において図２０に示すように触媒担持量を面上で変化させることで、単セルと触媒担持層との間の伝熱により、同様の効果を得ることができる。
【００８８】
また、単セル面に平行な面上において改質触媒の担持量を異ならせる構成に代えて、あるいはこれに加えて、スタック構造内での積層位置に応じて、改質触媒の担持量を異ならせることとしても良い。例えば、スタック構造の端部ほど温度が低下しやすい場合には、端部に配設されるガスセパレータ上に担持させる改質触媒量をより少なくし、スタック構造の中央部に配設されるガスセパレータ上に担持させる改質触媒量をより多くすればよい。
【００８９】
Ｅ−４．第８実施例：
第７実施例では、高温になると予想される領域ほど改質触媒量を多くして、吸熱反応を活発に行なわせることとしたが、さらにシフト反応を促進するシフト触媒を用いて、温度分布状態の均一化を図ることとしても良い。このような構成を第８実施例として以下に説明する。
【００９０】
本実施例では、燃料電池内部の温度条件下において、改質反応を活発に促進する触媒と、一酸化炭素と水蒸気とから水素と二酸化炭素とを生じるシフト反応を活発に促進する触媒とを用いている。改質触媒やシフト触媒として用いる触媒は、通常は両方の活性を示すものであるが、以下の実施例では、燃料電池内部の温度条件下において主として改質反応を促進する触媒を改質触媒、主としてシフト反応を促進する触媒をシフト触媒と呼ぶ。改質触媒としては、例えば、銅−亜鉛（Ｃｕ−Ｚｎ）系触媒や、鉄−クロム（Ｆｅ−Ｃｒ）系触媒を用いることができる。シフト触媒としては、例えばニッケル（Ｎｉ）系触媒を用いることができる。
【００９１】
図２１は、本実施例の燃料電池に備えられ単セル内燃料ガス流路を形成するガスセパレータ表面に担持させた触媒の様子を示す説明図である。本実施例では、第１実施例と同様に燃料ガス、酸化ガスおよび冷媒を流し、温度分布均一化部を設けなければ単セル面に生じる温度分布が図３と同様になる場合を示しており、高温になる領域には改質触媒を担持させ、低温になる領域にはシフト触媒を担持させている。
【００９２】
このような構成とすれば、高温になると予想される領域には改質触媒が担持されるため、吸熱反応である水蒸気改質反応が進行し、温度上昇が抑えられる。また、低温になると予想される領域にはシフト触媒が担持されるため、発熱反応であるシフト反応が進行して、温度上昇が促進される。これによって、単セル面における温度分布状態を均一化することができる。
【００９３】
なお、図２１では、ガスセパレータにおいて、改質触媒とシフト触媒とのうちのいずれかの触媒を領域毎に担持させることとしたが、両方の触媒を全面に担持させると共に、領域毎に各々の触媒の担持量を異ならせることとしても良い。高温になる領域では改質触媒の担持量をより多くし、低温になる領域ではシフト触媒の担持量をより多くすれば、同様の効果が得られる。また、上記のように改質触媒とシフト触媒の担持量を領域毎に異ならせた触媒層を単セルとは別個に設けて、触媒層を単セルと共に積層してスタック構造を形成し、触媒層で生成した水素を電気化学反応に供することとしても良い。あるいは、スタック構造内での積層位置に応じて温度分布の不均一が生じる場合には、高温になる位置に配設されるガスセパレータでは改質触媒の担持量を多くし、低温になる位置に配設されるガスセパレータではシフト触媒の担持量を多くすればよい。
【００９４】
Ｅ−５．第９実施例：
燃料電池に対して改質ガスを供給し、単セル内燃料ガス流路を形成するガスセパレータ表面にはシフト触媒を担持させる構成も可能である。このような構成を第９実施例として以下に説明する。なお、用いるシフト触媒は、第８実施例と同様のものを利用可能であるが、本実施例では水蒸気改質反応とシフト反応とのバランスを考慮する必要がないため、シフト反応を促進する充分な活性を有している触媒であれば利用可能である。
【００９５】
図２２は、第１実施例と同様に燃料ガス、酸化ガスおよび冷媒を流し、温度分布均一化部を設けなければ単セル面に生じる温度分布が図３と同様になる本実施例の燃料電池において、単セル内燃料ガス流路を形成するセパレータ表面に担持させたシフト触媒量を、図４（Ａ）と同様に表わした説明図である。図２２に示すように、図３に示した温度分布状態において、高温になる場所ほどシフト触媒の担持量が少なく、低温になる場所ほどシフト触媒の担持量が多くなっている。
【００９６】
このような構成とすれば、低温になると予想される領域ほどシフト触媒の担持量が多いため、発熱反応であるシフト反応がより活発に進行し、温度上昇を促進することができる。したがって、単セル面における温度分布状態を均一化することができる。なお、シフト触媒量によって温度分布均一化を図る場合にも種々の変形が可能である。ガスセパレータ上に担持させるシフト触媒量を段階的に変化させることとしても良いし、あるいはガスセパレータ上にシフト触媒を担持させる構成に代えて、単セルとは別個にシフト触媒を備える触媒担持層を設けることとしても良い。また、スタック構造内での積層位置に応じて、シフト触媒の担持量を変化させることとしても良い。
【００９７】
Ｆ．変形例：
なお、この発明は上記の実施例や実施形態に限られるものではなく、その要旨を逸脱しない範囲において種々の態様において実施することが可能であり、例えば次のような変形も可能である。
【００９８】
Ｆ１．変形例１：
既述した実施例では、水素透過性金属層上に直接電解質層２１を成膜することとしたが、水素透過性金属層と電解質層２１との間には、必要に応じて貴金属系の触媒層をさらに設けることとしても良い。また、水素透過性金属層とガスセパレータ２７との間に、さらに、導電性を有するガス透過性部材を配設することとしても良い。例えば、水素透過性金属層を、セラミックスなどの基材上に形成することとし、水素透過性金属層とガスセパレータ２７との間に、上記セラミックスなどの基材からなる層を介在させることとしても良い。
【００９９】
Ｆ２．変形例２：
図１に示した単セル２０では、電解質層２１のアノード側に水素透過性金属層２２を配設したが、アノード側の配置とカソード側の配置とを入れ替えることとしても良い。すなわち、電解質層２１のカソード側に水素透過性金属層を配設すると共に、電解質層２１のアノード側に、触媒層２４およびカソード電極２５と同様のアノード電極を配設すればよい。この場合には、水素透過性金属層のカソード側に、さらに触媒層を設けることとしても良い。このような燃料電池において、例えば第１実施例を適用する場合には、上記アノード側の触媒層とカソード側の触媒層とのうちの少なくとも一方の触媒層が、第１実施例と同様に領域によって触媒担持量が異なる構成とすればよい。電極表面積を異ならせる構成や水素透過性金属層の厚みを異ならせる構成も、同様に適用できる。
【０１００】
その他、電解質層と水素透過性金属層とを備える燃料電池において、電解質層および／または水素透過性金属層を複数備えるなど、異なる構成とすることが可能である。いずれの場合にも、電解質層の面上に水素透過性金属層を配設した燃料電池において、触媒担持量を異ならせた触媒層や、電極表面積を異ならせた電極や、厚みを異ならせた水素透過性金属層などの温度分布均一化部を設けることで、同様の効果を得ることができる。
【０１０１】
Ｆ３．変形例３：
また、燃料電池は固体電解質型燃料電池以外の種類であっても良く、電解質層がプロトン伝導性を有しており、電解質層の面上に水素透過性金属層を備えていれば、本発明を適用することが可能である。例えば、固体高分子型燃料電池とすることができる。固体高分子膜の両面に緻密な水素透過性金属層を設けた燃料電池とすれば、水素透過性金属層によって固体高分子膜の水分を保持することによって、従来の固体高分子型燃料電池よりも高い動作温度を実現可能となる。あるいは、固体高分子膜に代えて、ヘテロポリ酸系や含水βアルミナ系などセラミック、ガラス、アルミナ系に水分を含ませた膜を電解質層として用いることとしても良い。このような場合にも、本発明を適用し、温度分布均一化部をもうけることで、同様の効果を得ることができる。
【図面の簡単な説明】
【０１０２】
【図１】単セル２０の構造の概略を表わす断面模式図である。
【図２】燃料電池における流体の流れの様子を、一つの単セル２０について表わした説明図である。
【図３】本実施例の燃料電池を構成する一つの単セル面における温度分布の様子を表わす説明図である。
【図４】触媒層２４における触媒担持量と、触媒層２４を設けたときの温度分布状態を表わす説明図である。
【図５】一つの単セル面における温度分布の様子を表わす説明図である。
【図６】カソード触媒量の分布の様子を表わす説明図である。
【図７】一つの単セル面における温度分布の様子を表わす説明図である。
【図８】カソード触媒量の分布の様子を表わす説明図である。
【図９】一つの単セル面における温度分布の様子を表わす説明図である。
【図１０】第２実施例の燃料電池の構成の概略を説明する断面模式図である。
【図１１】カソード電極１２５における表面積の分布の様子を表わす説明図である。
【図１２】第３実施例の燃料電池の構成の概略を説明する断面模式図である。
【図１３】第４実施例の燃料電池の構成の概略を説明する断面模式図である。
【図１４】水素透過性金属層における内部構成を変化させた構成の一例を示す断面模式図である。
【図１５】水素透過性金属層における内部構成を変化させた構成の一例を示す断面模式図である。
【図１６】水素透過性金属層における内部構成を変化させた構成の一例を示す断面模式図である。
【図１７】水素透過性金属層における内部構成を変化させた構成の一例を示す断面模式図である。
【図１８】第５実施例の燃料電池装置の構成を表わす説明図である。
【図１９】第６実施例の燃料電池装置の構成を表わす説明図である。
【図２０】ガスセパレータ上に担持させた改質触媒量を表わす説明図である。
【図２１】第８実施例のガスセパレータ表面に担持させた触媒の様子を表わす説明図である。
【図２２】ガスセパレータ上に担持させたシフト触媒量を表わす説明図である。
【符号の説明】
【０１０３】
２０…単セル
２１…電解質層
２２，２２２，３２２，４２２，５２２，６２２，７２２…水素透過性金属層
２３…電解質部
２４…触媒層
２５，１２５…カソード電極
２７，２９…ガスセパレータ
３０…単セル内燃料ガス流路
３２…単セル内酸化ガス流路
３４…冷媒流路
４０…燃料電池
４１…燃料ガス流路
４２…第１分岐路
４３…第２分岐路
４４…第１流路
４５…第２流路
４６…第１排気路
４７…第２排気路
４８，４９…切り替え弁
５０…熱交換器
５１…酸化ガス供給路
５２…酸化ガス排出路
５３…酸化ガス循環路
５４…切り替え弁
【図１】
2005190684.tif 000003
【図２】
2005190684.tif 000004
【図３】
2005190684.tif 000005
【図４】
2005190684.tif 000006
【図５】
2005190684.tif 000007
【図６】
2005190684.tif 000008
【図７】
2005190684.tif 000009
【図８】
2005190684.tif 000010
【図９】
2005190684.tif 000011
【図１０】
2005190684.tif 000012
【図１１】
2005190684.tif 000013
【図１２】
2005190684.tif 000014
【図１３】
2005190684.tif 000015
【図１４】
2005190684.tif 000016
【図１５】
2005190684.tif 000017
【図１６】
2005190684.tif 000018
【図１７】
2005190684.tif 000019
【図１８】
2005190684.tif 000020
【図１９】
2005190684.tif 000021
【図２０】
2005190684.tif 000022
【図２１】
2005190684.tif 000023
【図２２】
2005190684.tif 000024